(57)【要約】【課題】ダイアルの回転による記録媒体の再生速度制御において、容易に一定速度を維持できると共に応答性の高い編集用コントローラを提供する。【解決手段】ダイアル回転角速度・方向検出手段４から得たダイアル速度情報ｃをダイアル速度情報メモリ５に格納する。ダイアル速度情報ｃの中から、最新ダイアル速度情報ｂを含み連続した有効な情報を抽出し、それを有効ダイアル速度情報ｅとする。有効ダイアル速度情報ｅから記録再生装置１に送信する出力速度情報ｇを作成する。【選択図】図１
2005174456.tif 000002
【特許請求の範囲】
【請求項１】
記録媒体の再生制御をダイアルで行う編集用コントローラであって、
ダイアルと、
所定の周期毎に入力される前記ダイアルの回転角速度と回転方向とに基づいて最新ダイアル速度情報を作成して出力するダイアル回転角速度・方向検出手段と、
取得した前記最新ダイアル速度情報をダイアル速度情報の時系列データとして複数保持するダイアル速度情報メモリと、
前記ダイアル速度情報メモリに保持された複数のダイアル速度情報から前記記録媒体の再生速度を決定するのに有効な情報を抽出するための有効ダイアル速度判断情報を前記最新ダイアル速度情報に基づいて作成する有効ダイアル速度判断作成手段と、
前記有効ダイアル速度判断情報および前記ダイアル速度情報メモリに保持されている前記複数のダイアル速度情報に基づいて前記記録媒体の再生速度を決定する情報を作成するための有効ダイアル速度情報を出力する有効ダイアル速度情報出力手段と、
前記有効ダイアル速度情報に基づいて出力速度情報を作成する有効速度情報作成手段とを備えた編集用コントローラ。
【請求項２】
前記最新ダイアル速度情報に応じた有効ダイアル速度判断値を選択して前記有効ダイアル速度判断作成手段に送信する有効ダイアル速度判断値メモリをさらに有し、
前記有効ダイアル速度判断作成手段は、前記有効ダイアル速度判断情報を前記最新ダイアル速度情報および前記有効ダイアル速度判断値に基づいて作成する請求項１記載の編集用コントローラ。
【請求項３】
記録媒体の再生制御をダイアルで行う編集用コントローラであって、
ダイアルと、
所定の周期毎に入力される前記ダイアルの回転角速度と回転方向とに基づいて最新ダイアル速度情報を作成して出力するダイアル回転角速度・方向検出手段と、
取得した前記最新ダイアル速度情報をダイアル速度情報の時系列データとして複数保持するダイアル速度情報メモリと、
前記ダイアル速度情報メモリに保持された複数のダイアル速度情報から前記記録媒体の再生速度を決定するのに有効な情報を抽出するための有効ダイアル速度判断情報を作成する有効ダイアル速度判断作成手段と、
前記有効ダイアル速度判断情報および前記ダイアル速度情報メモリに保持されている前記複数のダイアル速度情報に基づいて前記記録媒体の再生速度を決定する情報を作成するための有効ダイアル速度情報を出力する有効ダイアル速度情報出力手段と、
前記有効ダイアル速度情報の数が所定の数以上であるときには前記有効ダイアル速度情報を有効ダイアル速度更新情報として出力する有効ダイアル速度情報出力制御手段と、
前記有効ダイアル速度更新情報に基づいて出力速度情報を作成する有効速度情報作成手段と、
前記有効ダイアル速度情報の数が所定の数未満であると前記有効ダイアル速度情報出力制御手段が連続して判断した回数に応じた有効ダイアル速度判断値を選択して前記有効ダイアル速度判断作成手段に送信する再有効ダイアル速度判断値メモリとを備え、
前記有効ダイアル速度判断作成手段は、前記有効ダイアル速度判断情報を前記最新ダイアル速度情報および前記有効ダイアル速度判断値に基づいて作成する編集用コントローラ。
【請求項４】
前記有効ダイアル速度判断情報は、許容範囲最大値と許容範囲最小値と特定値とを含み、
前記許容範囲最大値および前記許容範囲最小値は、それぞれ前記ダイアル速度情報を有効な情報と判断する所定の範囲の最大値および最小値であり、
前記所定の範囲は前記最新ダイアル速度情報を含み、
前記有効ダイアル速度情報出力手段は、前記最新ダイアル速度情報が前記特定値と等しいときに前記最新ダイアル速度情報のみを前記有効ダイアル速度情報とし、そうでないときは、前記許容範囲最小値以上かつ前記許容範囲最大値以下を満たす前記ダイアル速度情報のうち、前記最新ダイアル速度情報を含む時間的に連続している情報を前記有効ダイアル速度情報とし、
前記有効速度情報は、前記有効ダイアル速度情報の平均値である請求項１記載の編集コントローラ。
【発明の詳細な説明】
【技術分野】
【０００１】
本発明は、ノンリニア編集機などの記録再生装置での記録媒体の再生制御などをダイアルで行う編集用コントローラに関する。
【背景技術】
【０００２】
ノンリニア編集機等での編集は、ハードディスク等の記録媒体を再生させて、それにより得られる映像や音声を用いて編集位置を決定することによって行われる。映像をもとに編集位置を決定する場合には、編集用コントローラの制御によって画像の再生と静止を繰り返し、それにより編集位置を決定すればよい。しかし、音声をもとに編集を行う場合には、画像をもとに編集するのと同様に再生と静止の繰り返しを行っても音声は再生されないため、記録媒体を一定速度で低速再生して音声の記録されている位置を確認しながら編集位置を決定しなければならない。
【０００３】
図４に、編集用コントローラとそれにより記録媒体を制御する記録再生装置を示す。図４の編集用コントローラにおいては、編集用コントローラ２のダイアル３を指等で回転させ、その回転に応じた速度で記録媒体を再生することにより、音声をもとに編集位置を探すことができる。使用者がダイアル３を回すと、ダイアル回転角速度・回転方向検出手段４によってダイアル３の回転角速度と回転方向を検出し、再生速度決定手段４１によって記録媒体の再生速度が決定される。そして、その値をノンリニア編集機などの記録再生装置１に送信することによって、ダイアル回転動作に応じた記録媒体の再生が行われる。
【０００４】
しかしながら、ダイアル３によって再生された音声を確認するためには記録媒体の再生速度を一定に保つ必要、つまりダイアル３の回転角速度を一定に保つ必要がある。また、音声によって編集位置を決定するには、ダイアル３の回転や停止に応じて、すぐに記録媒体を再生したり静止させたりする必要、すなわち、すばやい応答性が必要となる。したがって、音声による編集を行うには、一定速度による再生の容易性とすばやい応答性が要求される。
【０００５】
ところが、使用者がダイアルを指で回転させて回転の角速度を常に一定に保つことは困難であり、一定に回しているつもりでも回転角速度のばらつきが非常に大きい。したがって、ダイアル３によって入力される回転角速度と回転方向の情報をそのまま使用して、記録媒体の再生速度を一定に保つことは極めて困難である。
【０００６】
このため、一定速度での記録媒体の再生を容易に行えるように、主に以下の２点の手法が従来から用いられてきた。
【０００７】
（１）タイマを用いてある期間のダイアル回転角速度を単純に平均化することによって、回転のばらつきを吸収する方式
この従来の第１の方式について、図５、図６を参照して説明する。図５は、従来の第１の方式の編集用コントローラとそれにより記録媒体を制御する記録再生装置を示す。図５において、１は記録媒体を制御する記録再生装置、２は記録媒体の再生速度を決定する出力速度情報ｇを記録再生装置１に送信する編集用コントローラ、３はダイアルである。ダイアル３は、使用者の操作によって回転すると、それに応じて回転角速度と回転方向の情報を出力する。回転角速度は、ダイアルから単位時間あたりに発生されるパルスの数で表される。また、回転方向は、その回転方向（順方向、逆方向）に応じて正と負のいずれかで表される。４は一定周期毎にダイアルの回転角速度・方向を取得し、それを数値化した値を最新ダイアル速度情報ｂとして出力するダイアル回転角速度・方向検出手段である。ダイアル回転各速度・方向検出手段４は、ダイアルから入力される単位時間あたりのパルスの数を計測し、これに回転方向を表す正負の情報を付与し、符号付きの整数として出力する。５は最新ダイアル速度情報ｂを新しい順にｎ個（ｎ≧２）保持することができる再生速度メモリ５、５１は再生速度メモリ５からのｎ個のダイアル速度情報ｃをもとに平均化して出力速度情報ｇを作成する平均化による再生速度決定手段である。
【０００８】
この従来の方式では、再生速度メモリ５は新しい順に９個のダイアル速度情報ｃを保持できたとする。また、最新ダイアル速度情報ｂを受信したときの再生速度メモリ５が保持するダイアル速度情報ｃは新しい順に“８”、“６”、“７”、“９”、“８”、“１０”、“９”、“７”、“８”となっていたとする。それを図６に示す。ここで平均化による再生速度決定手段５１は再生速度メモリ５から９個のダイアル速度情報ｃを取得する。そこで以下の式より平均値を算出し、その値を出力速度情報ｇとして出力する。
【０００９】
【数１】
2005174456.tif 000003
今回の例に（式１）を当てはめると、ｎ＝９より、
ｇ＝（ｃ［０］＋ｃ［１］＋ｃ［２］＋ｃ［３］＋ｃ［４］＋ｃ［５］＋ｃ［６］＋ｃ［７］＋ｃ［８］）÷９
＝  （８＋６＋７＋９＋８＋１０＋９＋７＋８）÷  ９
＝  ８
となり、出力速度情報ｇは“８”となる。ここで編集コントローラ２は出力速度情報ｇを記録再生装置１に送信する。記録再生装置１は出力速度情報ｇから記録媒体の再生速度を作成し、その速度で記録媒体を再生させる。
【００１０】
このようにして、使用者がダイアルを回転させたときに発生するダイアルのばらつきを吸収して、記録媒体の一定速度再生を実現している。
【００１１】
（２）ダイアル回転角速度に応じた記録媒体用の速度テーブルがヒステリシス特性をもつことにより、回転のばらつきを吸収する方式
この従来の第２の方式について、図７、図８を用いて説明する。図７は、従来の第２の方式の編集用コントローラとそれにより記録媒体を制御する記録再生装置を示し、図５と対応する部分には同一の符号を付し、説明は省略する。
【００１２】
図７において、７１はヒステリシス特性をもつ速度テーブルをもち、その速度テーブルと現在の出力速度情報ｇと最新ダイアル速度情報ｂとから最適な速度を決定する速度テーブルメモリ、７２は速度テーブルメモリ７１を制御し、記録再生装置１に新しい出力速度情報ｇを送信するヒステリシステーブルによる再生速度決定手段である。
【００１３】
図８に速度テーブルメモリ７１がもつヒステリシス特性をもつ速度テーブルと、最新ダイアル速度情報ｂと出力速度情報ｇの関係例を示す。図８において、現在の出力速度情報ｇが“速度Ｃ”であったとし、今回ダイアル動作によって取得した最新ダイアル速度情報ｂが“ｙ”であったとする。ヒステリシステーブルによる再生速度決定手段７２は最新ダイアル速度情報ｂを受信したら、その最新ダイアル速度情報ｂを速度テーブルメモリ７１に送信する。速度テーブルメモリ７１は現出力速度情報ｇとダイアル速度情報ｂである“ｙ”を比較し、ヒステリシス特性をもつ速度テーブルのもと最適な速度情報を出力する。
【００１４】
図８では、現在の出力速度情報ｇは“速度Ｃ”であるため、今回のダイアル速度情報ｂ（＝“ｙ”）に適した速度は“速度Ｃ”となる。そして速度テーブルメモリ７１は最適な速度として“速度Ｃ”をヒステリシステーブルによる再生速度決定手段７２に送信する。それを受信したヒステリシステーブルによる再生速度決定手段７２は“速度Ｃ”を出力速度情報ｇとして、記録再生装置１に送信する。
【００１５】
つまり、ヒステリシス特性をもたない速度テーブルでは例えば出力速度情報ｇが“速度Ｃ”となる最新ダイアル速度情報ｂの範囲はＭの示す範囲となるが、ヒステリシス特性をもつ速度変化テーブルでは一度出力速度情報ｇが“速度Ｃ”になった場合、出力速度情報ｇが“速度Ｃ”を保持する再生ダイアル速度情報ｂの範囲はＮとなり、ある程度のダイアルのばらつきを吸収することができる。
【００１６】
このようにして、使用者がダイアルを回転させたときに発生するダイアルのばらつきを吸収して、記録媒体の一定速度再生を実現している。
【特許文献１】特開平４−３８７４３号公報
【発明の開示】
【発明が解決しようとする課題】
【００１７】
しかしながら、従来の第１の方式では、応答性が悪化してしまうという問題点があった。図５において回転させていたダイアル３を即座に停止させた場合には、最新ダイアル速度情報ｂはダイアル停止を示す“０”となり、再生速度メモリ５が保持するダイアル速度情報ｃは図９のようになる。この場合だと図５の平均化による再生速度決定手段５１で計算する出力速度情報ｇは（式１）より“９”となり、ダイアルを停止した直後には、記録媒体は出力速度情報ｇ＝“９”の速度で動作してしまう。そして最悪の場合、再生速度メモリが９回連続で停止である“０”を取得するまで、記録媒体は静止しない可能性があった。
【００１８】
このように、従来の第１の方式では、使用者がダイアルを一定に回転させようとしたときのダイアル回転角速度のばらつきを平均化して吸収し、記録媒体の再生速度を一定の速度を保つのには効果的であるが、ダイアルの回転や停止に応じてすぐに記録媒体を再生させたり、静止させたりする応答性が悪くなるという問題点があった。
【００１９】
また、従来の第２の方式では、ダイアルの回転速度と記録媒体の再生速度が異なる場合があるという問題点があった。例えば、図１０に示すように、図７のダイアル３を回転させて、最新ダイアル速度情報ｂが“ｙ”であったときでも、今までの速度が速度Ｃなら、今回の速度は速度Ｃになるが、今までの速度がＢであったときは今回の速度は速度Ｂとなっていた。
【００２０】
このように、従来の第２の方式では、ヒステリシス特性のテーブルを用いることによって使用者が一定に回転させようとしたときのダイアル回転角速度のばらつきを吸収して記録媒体の再生速度を一定に保ち、かつ、ダイアルの回転や静止に応じてすぐに記録媒体を再生させたり、静止させたりするすばやい応答性も対応できるという長所をもつが、記録媒体の再生速度をある速度に落とすためにダイアルの回転速度を落とすのと、記録媒体の再生速度をある速度に上げるためにダイアルの回転速度を上げる制御では、ダイアルの回転速度が同じでも記録媒体の速度が異なるという使用者にとって使いづらい欠点があった。
【００２１】
本発明は、上記課題に鑑み、ダイアルの回転による記録媒体の速度制御において、記録媒体の一定速度の維持とすばやい応答性、そしてダイアルの回転角速度に応じた速度制御が可能であるという要求を同時に満たす編集用コントローラを提供することを目的とする。
【課題を解決するための手段】
【００２２】
上記課題を解決するために本発明は、ダイアルと、所定の周期毎に入力されるダイアルの回転角速度と回転方向とに基づいて最新ダイアル速度情報を作成して出力するダイアル回転角速度・方向検出手段と、取得した最新ダイアル速度情報をダイアル速度情報の時系列データとして複数保持するダイアル速度情報メモリと、ダイアル速度情報メモリに保持された複数のダイアル速度情報から記録媒体の再生速度を決定するのに有効な情報を抽出するための有効ダイアル速度判断情報を最新ダイアル速度情報に基づいて作成する有効ダイアル速度判断作成手段と、有効ダイアル速度判断情報およびダイアル速度情報メモリに保持されている複数のダイアル速度情報に基づいて記録媒体の再生速度を決定する情報を作成するための有効ダイアル速度情報を出力する有効ダイアル速度情報出力手段と、有効ダイアル速度情報に基づいて出力速度情報を作成する有効速度情報作成手段とを備えた構成としたものである。
【発明の効果】
【００２３】
本発明によれば、使用者がダイアルを回転させて記録媒体の再生速度を制御した場合、ダイアルの回転角速度に応じた速度制御が可能であり、かつダイアルの回転角速度変化のばらつきを吸収して一定速度の維持とすばやい応答性を得ることができる。そのため、音声での編集位置を容易に検出したり、使用者が静止や再生をした場合には、すばやい応答性をもって記録媒体を制御することができる。
【００２４】
また、速度に応じてダイアルの回転角速度に応じてばらつき検出方法を変更することにより、より正確なばらつきの検出を行うことができる。それにより、使用者のダイアル制御に対してより正確な記録媒体の再生速度を実現することができる。
【００２５】
また、記録媒体の再生速度に使用するサンプリング数を規定しておくことにより、必要最低限のサンプリング数を確保することができ、使用者のダイアル制御に対してより正確な記録媒体の再生速度を実現することができる。
【発明を実施するための最良の形態】
【００２６】
以下、本発明の実施するための最良の形態について、図を用いて説明する。
【実施例１】
【００２７】
図１、図１１、図１２を参照して実施例１を説明する。図１は、実施例１の編集用コントローラと、それにより記録媒体を制御する記録再生装置１を示す。なお、従来例と対応する部分には同一の符号を付し、説明は省略する。本発明の編集用コントローラ２は、ダイアル３とダイアル回転角速度・方向検出手段４とダイアル速度情報メモリ５と有効ダイアル速度判断作成手段６、有効ダイアル速度情報出力手段７および有効速度情報作成手段８とで構成されている。また、１は編集用コントローラ２からの記録媒体に対する再生速度等の制御命令を受信して、実際に記録媒体を制御する記録再生装置である。
【００２８】
ダイアル速度情報メモリ５は、最大ｎ個（ｎ≧２）の最新ダイアル速度情報ｂを新しい順にダイアル速度情報ｃとして格納する部分である。有効ダイアル速度判断作成手段６は、ダイアル速度情報メモリ５に格納されている複数のダイアル速度情報ｃが記録媒体の再生速度を決定（出力速度情報ｇを作成）するのにそれぞれ有効であるか無効であるかを判断し、有効な情報のみを抽出するための情報である有効ダイアル速度判断情報ｄを、最新ダイアル速度情報ｂに基づいて作成する。有効ダイアル速度情報出力手段７は、最大ｎ個からなるダイアル速度情報ｃがそれぞれ記録媒体の再生速度を作成するのに有効であるか、無効であるかを有効ダイアル速度判断情報ｄから判断して抽出する。そして、ダイアル速度情報ｃのうちの有効な情報数ｍ（１≦ｍ≦ｎ）を有効ダイアル速度情報数ｆとして作成すると共に、最大ｍ個の有効ダイアル速度情報ｅを作成する。有効速度情報作成手段８は、有効ダイアル速度情報ｅと有効ダイアル速度情報数ｆから、実際に記録再生装置１が記録媒体を速度制御するために使用する出力速度情報ｇを作成する。
【００２９】
次に、実施例１の実使用時における編集用コントローラ２の動作について図１と図１１、図１２を用いながら説明する。使用者が記録媒体の速度制御のために図１の編集用コントローラ２のダイアル３を回すと、ダイアル回転角速度・方向検出手段４はダイアル３の回転角速度と回転方向をある一定周期間隔毎に取得し、それを数値化して最新ダイアル速度情報ｂを作成する。そして、それをダイアル速度情報メモリ５と、有効ダイアル速度判断作成手段６に送信する。ダイアル速度情報メモリ５は最新ダイアル速度情報ｂを受信した順に時系列データである最大ｎ個のダイアル速度情報ｃとして格納する。図１１では、ダイアル速度情報のｃ［０］が最新のダイアル速度情報となり、これは最新ダイアル速度情報ｂと同値である。次に新しいダイアル速度情報はｃ［１］となり、一番古いダイアル速度情報はｃ［ｎ−１］となる。なお、最新のダイアル速度情報が入力されるたびに、それがｃ［０］となり、他のダイアル速度情報は順にシフトしていく。すなわち、ｃ［０］がｃ［１］となり、ｃ［１］がｃ［２］となり、ｃ［ｎ−２］がｃ［ｎ−１］となる。
【００３０】
今、例として最新ダイアル速度情報ｂが“８”であり、ダイアル速度情報ｃが順に“６”、“７”、“９”、“１８”、“１６”という値を格納し、一番古い値に“１９”というダイアル速度情報を格納していたとする。  まず、有効ダイアル速度判断作成手段６は、最新ダイアル速度情報ｂの値と、有効ダイアル速度判断作成手段６がもつ範囲αをもとに、ダイアルばらつき検出のため有効ダイアル速度判断情報ｄとして、ばらつき許容範囲最大値ｄ［ｍａｘ］、ばらつき許容範囲最小値ｄ［ｍｉｎ］を以下の式より求める。
ｄ［ｍａｘ］  ＝  最新ダイアル速度情報ｂ  ＋  α    ―――  （式２）
ｄ［ｍｉｎ］  ＝  最新ダイアル速度情報ｂ  −  α    ―――  （式３）
また、有効ダイアル速度作成手段６がもつ特定値βをもとに、有効ダイアル速度判断情報ｄとして特定値ｄ［ｃｏｎｓｔ］を以下の式より求める。
ｄ［ｃｏｎｓｔ］  ＝  β  ―――  （式４）
図１１では、有効ダイアル速度作成手段６がもつ範囲α、特定値βはそれぞれ、α＝“３”、β＝“０”とする。最新ダイアル速度情報ｂは“８”であるので、この状態での有効速度判断情報ｄは（式２）、（式３）、（式４）より最小範囲ｄ［ｍｉｎ］が“５”、最大範囲ｄ［ｍａｘ］が“１１”となり、特定値ｄ［ｃｏｎｓｔ］は“０”となる。
【００３１】
次に、有効ダイアル速度情報出力手段７は、有効ダイアル速度判断作成手段６から有効ダイアル速度判断情報ｄを、ダイアル速度情報メモリ５からダイアル速度情報ｃを取得する。そして、有効ダイアル速度情報出力手段７は、有効ダイアル速度判断情報ｄをもとに、ダイアル速度情報ｃを新しいものから順に検索し、ばらつき許容範囲外となる最初のｃ［ｍ］を検出する。具体的には、
ｄ［ｍｉｎ］≦ｃ［ｍ］≦ｄ［ｍａｘ］
を満たさない最小のｍ（ただし、１≦ｍ≦（ｎ−１））を求める（条件１）。また、例外的にｃ［０］＝ｄ［ｃｏｎｓｔ］となる場合には、ｍ＝１とする（条件２）。
【００３２】
ｍが求まると、最新ダイアル速度情報ｂ（＝ｃ［０］）から時間的に連続し、かつばらつき許容範囲内に収まるダイアル速度情報ｃ［０］〜ｃ［ｍ−１］が求まるので、これらを有効ダイアル速度情報ｅとし、その全有効ダイアル情報数であるｍを有効ダイアル速度情報数ｆとする。有効ダイアル速度判断情報ｄによって許容範囲外とされたｃ［ｍ］以前のダイアル速度情報ｃは、使用者が意図的にダイアル回転速度を変化させた以前の値と判断し、破棄する。
【００３３】
図１１では、ｃ［０］≠０であり、条件２は満たさない。一方、ｍ＝４としたときに、ｃ［４］＝１８であり、
ｄ［ｍｉｎ］＝５≦ｃ［４］≦１１＝ｄ［ｍａｘ］
を満たさなくなる（すなわち、条件１を満たす）。したがって、有効ダイアル速度情報ｅは、ダイアル速度情報ｃから
ｅ［０］＝ｃ［０］＝“８”
ｅ［１］＝ｃ［１］＝“６”
ｅ［２］＝ｃ［２］＝“７”
ｅ［３］＝ｃ［３］＝“９”
となり、有効ダイアル速度情報数ｆは“４”となる。また、ｃ［４］〜ｃ［ｎ−１］は使用者が意図的にダイアル回転速度を変化させた以前の値として破棄する。
【００３４】
次に、有効速度情報作成手段８は有効ダイアル速度情報ｅと、有効ダイアル速度情報数ｆを取得し、以下の計算式で有効速度情報ｇを作成する。
【００３５】
【数２】
2005174456.tif 000004
図１１の場合であると、（式５）より、
ｇ  ＝  （ｅ［０］＋ｅ［１］＋ｅ［２］＋ｅ［３］）÷  ｆ  ＝  ７
となる。したがって、有効速度情報ｇは“７”となる。
【００３６】
ここで編集コントローラ２は出力速度情報ｇを記録再生装置１に送信する。記録再生装置１は出力速度情報ｇから記録媒体の再生速度を作成し、その速度で記録媒体を再生させる。
【００３７】
また例の図１２は、使用者が記録媒体を静止させるために、ダイアルをある速度から停止させた状態の最新ダイアル速度情報ｂ、ダイアル速度情報ｃを示す。ここで、先ほどの例の図１１と同じように、有効ダイアル速度作成手段６がもつ範囲αを“３”、特定値βを“０”とする。最新ダイアル速度情報ｂは“０”であるので、この状態での有効速度判断情報ｄは（式２）、（式３）、（式４）より、最小範囲ｄ［ｍｉｎ］が“−３”、最大範囲ｄ［ｍａｘ］が“３”となり、特定値ｄ［ｃｏｎｓｔ］は“０”となる。そして、有効ダイアル速度情報出力手段７は、有効ダイアル速度判断情報ｄとダイアル速度情報ｃから、条件１または条件２に当てはまるｍを求める。図１２の場合はｍ＝０でｃ［０］＝“０”となり、条件２を満たすのでｍ＝１となり、ｃ［０］のみが有効ダイアル速度情報ｅとなる。また、有効ダイアル速度情報数ｆは“１”となる。
【００３８】
次に、有効速度情報作成手段８は有効ダイアル速度情報ｅと、有効ダイアル速度情報数ｆを取得し、（式５）の計算式で有効速度情報ｇを作成する。
ｇ  ＝  ｅ［０］  ÷  ｆ
＝  ０  ÷  １
＝  ０
したがって、有効速度情報ｇは“０”となる。
【００３９】
ここで編集コントローラ２は出力速度情報ｇを記録再生装置１に送信する。記録再生装置１は出力速度情報ｇから記録媒体の再生速度、ここでは静止する速度を作成する。このように、条件２を導入することにより、急激な静止要求にもすばやい応答で記録媒体を静止させることができる。
【００４０】
以上のように実施例１では、使用者がダイアルを回転させて記録媒体の再生速度を制御した場合、ダイアルの回転角速度に応じた速度制御が可能であり、かつダイアルの回転角速度変化のばらつきを吸収して一定速度の維持を容易にすると共に、すばやい応答性を得ることができる。
【実施例２】
【００４１】
図２と図１３〜１５を参照して実施例２を説明する。図２は、実施例２の編集用コントローラ２と、それにより記録媒体を制御する記録再生装置１を示し、図１と対応する部分には同一の符号を付し、説明は省略する。
【００４２】
図２において、有効ダイアル速度判断値メモリ２１は、有効ダイアル速度を判断する値を複数個もち、最新ダイアル速度情報ｂから、その速度に適した有効ダイアル速度判断値ｈを選択し、有効ダイアル速度判断作成手段６に送信する。有効ダイアル速度判断値ｈは、範囲αと特定値βを含む。有効ダイアル速度判断値メモリ２１では、ダイアルの回転角速度が小さい場合は範囲αを小さくしてばらつきの許容範囲を狭くし、ダイアルの回転角速度が大きい場合には範囲αを大きくしてばらつきの許容範囲を大きくするように範囲αの値が設定されている。  有効ダイアル速度判断値ｈを受信した有効ダイアル速度判断作成手段６は、最新ダイアル速度情報ｂによって決定された有効ダイアル速度判断値ｈにより有効ダイアル速度判断情報ｄを作成する。すなわち、実施例１では、速度判断作成手段６が範囲αおよび特定値βを固定値として保持していたが、本実施例では、有効ダイアル速度判断値メモリ２１を有することにより、最新ダイアル速度情報ｂの値に応じて有効ダイアル速度判断値ｈに含まれる範囲αと特定値βを変化させる部分が実施例１と異なる。
【００４３】
次に、実施例２の実使用時における編集用コントローラ２の動作について例を用いながら説明する。例えば、使用者が実施例１と同じように、記録媒体の速度制御のためにダイアル３を回すと、ダイアル回転角速度・方向検出手段４はダイアル３の回転角速度と回転方向をある一定周期間隔毎に取得し、それを数値化して最新ダイアル速度情報ｂを作成する。そして、それをダイアル速度情報メモリ５と、有効ダイアル速度判断作成手段６および、有効ダイアル速度判断値メモリ２１に送信する。ダイアル速度情報メモリ５は最新ダイアル速度情報ｂを受信した順に最大ｎ個のダイアル速度情報ｃとして格納する。図１４では、ダイアル速度情報のｃ［０］が最新のダイアル速度情報となり、これは最新ダイアル速度情報ｂと同値である。次に新しいダイアル速度情報はｃ［１］となり、一番古いダイアル速度情報はｃ［ｎ−１］となる。
【００４４】
今、例として最新ダイアル速度情報ｂが“１２”で、順に“１４”、“１６”、“１４”、“１８”、“１６”という値を格納し、一番古い値に“１９”というダイアル速度情報を格納していたとする。有効ダイアル速度判断値メモリ２１の内部には図１３のような、最新ダイアル速度情報ｂに対する有効ダイアル速度判断値ｈを示すテーブルを持っており、最新ダイアル速度情報ｂの値によって、値の異なる有効ダイアル速度判断値ｈを選択するようになっている。図１４の場合、最新ダイアル速度情報ｂは“１２”となっているので、図１３のテーブルからテーブル番号５の有効ダイアル速度判断値ｈを選択する。つまり、有効ダイアル速度判断値ｈの範囲αは“４”、特定値βは“０”となる。また、有効ダイアル速度判断作成手段６は、最新ダイアル速度情報ｂと有効ダイアル速度判断値ｈの値をもとに、実施例１に示す（式２）、（式３）、（式４）から有効ダイアル速度判断情報ｄのばらつき許容範囲最大値ｄ［ｍａｘ］、ばらつき許容範囲最小値ｄ［ｍｉｎ］、特定値ｄ［ｃｏｎｓｔ］を算出する。図１４での有効速度判断情報ｄは最小範囲ｄ［ｍｉｎ］が“８”、最大範囲ｄ［ｍａｘ］が“１６”となり、特定の値ｄ［ｃｏｎｓｔ］は“０”となる。
【００４５】
その後は実施例１と同じ制御を行う。すなわち、有効ダイアル速度情報出力手段７は有効ダイアル速度判断作成手段６から有効ダイアル速度判断情報ｄを、ダイアル速度情報メモリ５からはダイアル速度情報ｃを取得し、これらから有効ダイアル速度情報ｅおよび有効ダイアル速度情報数ｆを算出する。図１４では、有効ダイアル速度情報ｅは、ダイアル速度情報ｃからｅ［０］＝ｃ［０］＝“１２”、ｅ［１］＝ｃ［１］＝“１４”、ｅ［２］＝ｃ［２］＝“１６”、ｅ［３］＝ｃ［３］＝“１４”となり、有効ダイアル速度情報数ｆは“４”となる。次に、有効速度情報作成手段８は有効ダイアル速度情報ｅと有効ダイアル速度情報数ｆを取得し、（式５）によって有効速度情報ｇを作成する。
【００４６】
図１４の場合であると、（式５）より有効速度情報ｇは、
ｇ＝  （ｅ［０］＋ｅ［１］＋ｅ［２］＋ｅ［３］）÷  ｆ
＝  （１２＋１４＋１６＋１４）÷４
＝  １４
つまり、有効速度情報ｇは“１４”となる。編集コントローラ２が出力速度情報ｇを記録再生装置１に送信すると、記録再生装置１は出力速度情報ｇから記録媒体の再生速度を作成し、その速度で記録媒体を再生させる。
【００４７】
また、図１５の場合では、最新ダイアル速度情報ｂは“８”となっているので、図１３のテーブルからテーブル番号４の有効ダイアル速度判断値ｈを選択する。つまり、有効ダイアル速度判断値ｈの範囲αは“３”、特定値βは“０”となる。以降同様の制御を行うと、ｇ＝“８”となり、編集用コントローラ２は出力速度情報ｇを記録再生装置１に送信する。記録再生装置１は出力速度情報ｇから記録媒体の再生速度を作成し、その速度で記録媒体を再生させる。
【００４８】
以上のように実施例２では、実施例１と同様に、使用者がダイアルを回転させて記録媒体の再生速度を制御した場合、ダイアルの回転角速度に応じた速度制御が可能であり、かつダイアルの回転角速度変化のばらつきを吸収して一定速度の維持とすばやい応答性を得ることができるとともに、ダイアルの回転角速度が遅い場合は、ばらつきの許容範囲を狭くし、ダイアルの回転角速度が速い場合には、ばらつきの許容範囲を大きくするなど、ばらつきの許容範囲をダイアル回転角速度により可変にすることによって、ダイアルの回転角速度をより正確に記録媒体の再生速度に反映させることができる。
【実施例３】
【００４９】
図３、図１６から１８を参照して実施例３を説明する。図３は実施例３の編集用コントローラ２と、それにより記録媒体を制御する記録再生装置１を示し、図１と対応する部分には同一の符号を付し、説明は省略する。
【００５０】
図３において、有効ダイアル速度情報出力制御手段３１は、有効ダイアル速度情報ｅと有効ダイアル速度情報数ｆを受信し、有効ダイアル速度情報数ｆから有効速度情報作成手段８が出力速度情報ｇを出力するのに有効であるかを判断する。判断結果が有効であれば、有効ダイアル速度更新情報ｉと有効ダイアル速度更新情報数ｊを出力し、内部で保持している有効ダイアル速度情報出力制御回数ｋを０に初期化して送信する。無効であれば、有効ダイアル速度更新情報ｉと有効ダイアル速度更新情報数ｊを送信せずに、有効ダイアル速度情報出力制御回数ｋを１加算して出力する。なお、有効ダイアル速度情報出力制御回数ｋの初期値は“０”である。再有効ダイアル速度判断値メモリ３２は、有効ダイアル速度を判断する値を複数個もち、受信した再有効ダイアル速度判断情報ｋから、その値に応じた有効ダイアル速度判断値ｈを選択し、有効ダイアル速度判断作成手段６に送信する。
【００５１】
本実施例では、有効ダイアル速度情報出力制御手段３１が、有効ダイアル速度情報数ｆが所定の数以上であるときには有効ダイアル速度情報ｅを有効ダイアル速度更新情報ｉとして出力し、また、有効ダイアル速度情報数ｆが所定の数未満であると有効ダイアル速度情報出力制御手段３１が連続して判断した回数に応じて、再有効ダイアル速度判断値メモリ３２中の有効ダイアル速度判断値ｈを選択して有効ダイアル速度判断作成手段６に送信するように構成されている。これにより、有効ダイアル速度情報ｅの数が少ないために望ましい出力速度情報ｇが作成できないと思われる場合には、ダイアル速度情報ｃを有効であると判断する範囲を段階的に広げて有効ダイアル速度情報ｅの数を増加させ、最終的に出力速度情報ｇが得られるようにしている。
【００５２】
次に、実施例３の実使用時における編集用コントローラ２の動作について例を用いながら説明する。例えば、使用者が実施例１と同じように、記録媒体の速度制御のためにダイアル３を回すと、ダイアル回転角速度・方向検出手段４はダイアル３の回転角速度と回転方向をある一定周期間隔毎に取得し、それを数値化して最新ダイアル速度情報ｂを作成する。そして、それをダイアル速度情報メモリ５と、有効ダイアル速度判断作成手段６に送信する。ダイアル速度情報メモリ５は最新ダイアル速度情報ｂを受信した順に最大ｎ個のダイアル速度情報ｃとして格納する。図１７では、ダイアル速度情報のｃ［０］が最新のダイアル速度情報となり、これは最新ダイアル速度情報ｂと同値である。次に新しいダイアル速度情報はｃ［１］となり、一番古いダイアル速度情報はｃ［ｎ−１］となる。
【００５３】
今、図１７のように最新ダイアル速度情報ｂが“８”で、順に“９”、“７”、“９”、“１２”、“１７”という値を格納し、一番古い値に“１９”というダイアル速度情報を格納していたとする。再有効ダイアル速度判断値メモリ３２の内部には図１６のような、有効ダイアル速度情報出力制御回数ｋに対する有効ダイアル速度判断値ｈを示すテーブルを持っており、有効ダイアル速度情報出力制御回数ｋの値によって、値の異なる有効ダイアル速度判断値ｈを選択し、有効ダイアル速度判断作成手段６に送信する。この例では、今は最新ダイアル速度情報ｂを取得して初めての処理であるので有効ダイアル速度情報出力制御回数ｋは“０”となる。よって、図１６のテーブルからテーブル番号１の有効ダイアル速度判断値ｈを選択する。つまり、有効ダイアル速度判断値ｈの範囲αは“３”、特定値βは“０”となる。また、有効ダイアル速度判断作成手段６は、最新ダイアル速度情報ｂと有効ダイアル速度判断値ｈの値をもとに、実施例１に示す（式２）、（式３）、（式４）から有効ダイアル速度判断情報ｄのばらつき許容範囲最大値ｄ［ｍａｘ］、ばらつき許容範囲最小値ｄ［ｍｉｎ］、特定値ｄ［ｃｏｎｓｔ］を算出する。図１７での有効速度判断情報ｄは最小範囲ｄ［ｍｉｎ］が“５”、最大範囲ｄ［ｍａｘ］が“１１”となり、特定の値ｄ［ｃｏｎｓｔ］は“０”となる。次に、有効ダイアル速度情報出力手段７は有効ダイアル速度判断作成手段６から、有効ダイアル速度判断情報ｄを、ダイアル速度情報メモリ５からは、ダイアル速度情報ｃを取得し、これらから有効ダイアル速度情報ｅおよび有効ダイアル速度情報数ｆを算出する。
【００５４】
図１７では、有効ダイアル速度情報ｅは、ダイアル速度情報ｃからｅ［０］＝ｃ［０］＝“８”、ｅ［１］＝ｃ［１］＝“９”、ｅ［２］＝ｃ［２］＝“７”、ｅ［３］＝ｃ［３］＝“９”となり、有効ダイアル速度情報数ｆは“４”となる。  次に、有効ダイアル速度情報出力制御手段３１は有効ダイアル速度情報数ｆを取得し、有効速度情報ｇを作成するに適した情報であるかを判断する。有効ダイアル速度情報出力制御手段３１は、その内部に有効ダイアルサンプリング数γおよび有効ダイアル速度情報出力制御最大数δを保持している。有効ダイアルサンプリング数γは、有効ダイアル速度情報ｅが有効速度情報ｇを作成するのに適した情報であるかを判定するための情報であり、有効速度情報ｇを作成するために最低限必要な有効ダイアル速度情報数ｆを示す。有効ダイアル速度情報出力制御最大数δは、有効ダイアル速度情報数ｆが出力速度情報ｇを作成する条件を満たしていないと有効ダイアル速度情報出力制御手段３１が判断する最大の回数であり、この回数を有効ダイアル速度情報出力制御手段３１内部でカウントする。
【００５５】
有効ダイアル速度情報出力制御手段３１は、有効ダイアル速度情報数ｆが有効ダイアルサンプリング数γ以上か“１”（ｆ≧γ  または  ｆ＝１）、または、有効ダイアル速度情報出力制御回数ｋが有効ダイアル速度情報出力制御最大数δ以上となった場合（ｋ≧δ）には、有効ダイアル速度情報出力手段７からの有効ダイアル速度情報ｅと有効ダイアル速度情報数ｆが出力速度情報ｇを作成するのに有効な情報であると判断し、この条件に当てはまらなかったときは無効な情報と判断する。
【００５６】
有効と判断したときは、有効ダイアル速度情報出力制御手段３１は、有効速度情報作成手段８に有効ダイアル速度情報ｅを有効ダイアル速度更新情報ｉとして、また有効ダイアル速度情報数ｆを有効ダイアル速度更新情報数ｊとして送信する。また、有効ダイアル速度情報出力制御回数ｋを次回処理のために初期化（＝“０”）し、その値を再有効ダイアル速度判断値メモリ３２に送信する。
【００５７】
無効と判断したときは、有効ダイアル速度制御出力手段３１は、有効速度情報作成手段８には何も情報を送信せずに、有効ダイアル速度情報出力制御回数ｋを１加算して再有効ダイアル速度判断値メモリ３２に送信する。再有効ダイアル速度判断値メモリ３２は、有効ダイアル速度情報制御回数ｋが“０”以外（すなわち、有効ダイアル速度制御出力手段３１が無効と判断した場合）であれば、再び図１６のテーブルと受信した有効ダイアル速度情報制御回数ｋで、有効ダイアル速度判断値ｈを選択し、それを有効ダイアル速度判断作成手段６に送信する。以下、有効ダイアル速度情報出力制御手段３１で、有効ダイアル速度情報ｅと有効ダイアル速度情報数ｆが有効と判断されるまでこれらの処理を繰り返す。
【００５８】
本実施例では、有効ダイアルサンプリング数γ＝“５”、有効ダイアル速度情報出力制御最大数δ＝“３”とする。図１７の状況では有効ダイアル速度情報数ｆ＝“４”であるので、有効ダイアル速度情報出力制御手段３１は、有効ダイアル速度情報数ｆ≠“１”、有効ダイアル速度情報数ｆ＜有効ダイアルサンプリング数γと判断する。また、今回が初回で有効ダイアル速度情報出力制御回数ｋは“０”となるため、有効ダイアル速度情報出力制御回数ｋ＜有効ダイアル速度情報出力最大数δとなる。したがって、有効ダイアル速度情報出力制御手段３１は、有効ダイアル速度情報ｅと有効ダイアル速度情報数ｆは出力速度情報ｇを作成するのに無効と判断し、有効速度情報作成手段８には何も情報を送信せずに、有効ダイアル速度情報出力制御回数ｋを１加算して“１”として、再有効ダイアル速度判断値メモリ３２に対して送信する。
【００５９】
再有効ダイアル速度判断値メモリ３２は、再び図１６のテーブルと、受信した有効ダイアル速度情報回数ｋ（＝“１”）より、テーブル番号２の有効ダイアル速度判断値ｈを選択する。つまり、有効ダイアル速度判断値ｈの範囲αは“４”、特定値βは“０”となる。これは、初回よりも有効ダイアル速度判断値ｈの範囲αを広げ、より多くの有効ダイアル速度情報ｅを取得しようとしていることを意味する。そして先ほどと同様に、有効ダイアル速度判断作成手段６は、最新ダイアル速度情報ｂと有効ダイアル速度判断値ｈの値をもとに、実施例１に示す（式２）、（式３）、（式４）から有効ダイアル速度判断情報ｄのばらつき許容範囲最大値ｄ［ｍａｘ］、ばらつき許容範囲最小値ｄ［ｍｉｎ］、特定値ｄ［ｃｏｎｓｔ］を作成する。図１７での有効速度判断情報ｄは最小範囲ｄ［ｍｉｎ］が“４”、最大範囲ｄ［ｍａｘ］が“１２”となり、特定の値ｄ［ｃｏｎｓｔ］は“０”となる。それを図１８に示す。次に、有効ダイアル速度情報出力手段７は前記処理のもと、有効ダイアル速度情報ｅと、有効ダイアル速度情報ｆを作成する。この例では、有効ダイアル速度情報ｅは、ダイアル速度情報ｃからｅ［０］＝ｃ［０］＝“８”、ｅ［１］＝ｃ［１］＝“９”、ｅ［２］＝ｃ［２］＝“７”、ｅ［３］＝ｃ［３］＝“９”、ｅ［４］＝ｃ［４］＝“１２”となり、有効ダイアル速度情報数ｆは“５”となる。  再び、有効ダイアル速度情報出力制御手段３１は有効ダイアル速度情報数ｆを取得し、有効速度情報ｇを作成するに適した情報であるかを判断する。
【００６０】
ここで有効ダイアル速度情報数ｆは“５”であるので、有効ダイアル速度情報出力制御手段３１は、有効ダイアル速度情報数ｆ≠“１”、有効ダイアル速度情報数ｆ＝有効ダイアルサンプリング数γと判断する。したがって、有効ダイアル速度情報ｅと有効ダイアル速度情報数ｆは出力速度情報ｇを作成するのに有効と判断されるため、有効ダイアル速度情報出力制御手段３１は有効判断の処理を行う。
【００６１】
つまり、有効ダイアル速度情報出力制御手段３１は、有効速度情報作成手段８に有効ダイアル速度情報ｅ（ｅ［０］＝“８”、ｅ［１］＝“９”、ｅ［２］＝“７”、ｅ［３］＝“９”、ｅ［４］＝“１２”）を有効ダイアル速度更新情報ｉ（ｉ［０］＝ｅ［０］＝“８”、ｉ［１］＝ｅ［１］＝“９”、ｉ［２］＝ｅ［２］＝“７”、ｉ［３］＝ｅ［３］＝“９”，ｉ［４］＝ｅ［４］＝“１２”）として、また有効ダイアル速度情報数ｆ（＝５）を有効ダイアル速度更新情報数ｊとして送信する。また、有効ダイアル速度情報出力制御回数ｋを次回処理のために初期化（＝“０”）し、その値を再有効ダイアル速度判断値メモリ３２に送信する。なお、再有効ダイアル速度判断値メモリ３２では、有効ダイアル速度情報出力制御回数ｋとして“０”を受信するため、なにも行わない。
【００６２】
最後に、有効速度情報作成手段８は有効ダイアル速度更新情報ｉと、有効ダイアル速度更新情報数ｊを取得し、以下の計算式で有効速度情報ｇを作成する。
【００６３】
【数３】
2005174456.tif 000005
図１８の場合、（式６）より有効速度情報ｇは、
ｇ＝  （ｉ［０］＋ｉ［１］＋ｉ［２］＋ｉ［３］＋ｉ［４］）÷  ｊ
＝    （  ８  ＋  ９  ＋  ７  ＋  ９  ＋  １２  ）÷  ５
＝  ９
よって、有効速度情報ｇは“９”となる。
編集コントローラ２が出力速度情報ｇを記録再生装置１に送信すると、記録再生装置１は出力速度情報ｇから記録媒体の再生速度を作成し、その速度で記録媒体を再生させる。
【００６４】
なお、本実施例では具体例を示していないが、有効ダイアル速度情報ｅが有効ダイアル速度情報出力制御手段３１で有効と判断されないままで何度か一連の処理を繰り返している場合でも、有効ダイアル速度情報出力制御回数ｋが加算された結果、有効ダイアル速度情報出力制御回数ｋ≧有効ダイアル速度情報出力最大数δを満たし、その結果有効ダイアル速度情報ｅが有効と判断される。このため、有効ダイアル速度情報出力制御手段３１での処理の繰り返し回数は最大でも有効ダイアル速度情報出力最大数δとなる。
【００６５】
なお、これも本実施例では具体例を示していないが、実施例１の図１２のように、最新ダイアル速度情報ｂが“０”となった場合には、ｃ［０］＝ｄ［ｃｏｎｓｔ］＝０となる。したがって、ｃ［０］のみが有効ダイアル速度情報ｅとなり、有効ダイアル速度情報数ｆは“１”となる。このとき、有効ダイアル速度情報出力制御手段３１は、有効ダイアル速度情報数ｆ＝“１”であるため、これを有効と判断し、処理を続行する。これにより、使用者がダイアル３を停止させて再生速度を０にしようとした場合にも、すばやい応答性を得ることができる。
【００６６】
以上のように実施例３では、実施例１、実施例２と同様に、使用者がダイアルを回転させて記録媒体の再生速度を制御した場合、ダイアルの回転角速度に応じた速度制御が可能であり、かつダイアルの回転角速度変化のばらつきを吸収して一定速度の維持とすばやい応答性を得ることができるとともに、有効速度作成のためのサンプリング数が少ない場合にはばらつきの許容範囲を段階的に広げてサンプリング数を多く抽出することにより、ダイアルの回転角速度をより正確に記録媒体の再生速度に反映させることができる。
【産業上の利用可能性】
【００６７】
本発明により、使用者がダイアルを回転させて制御した場合にダイアルの回転角速度に応じた値を出力することが可能であり、かつダイアルの回転角速度変化のばらつきを吸収して一定の安定した値とすばやい応答性を得ることができ、ＶＴＲやノンリニア編集機等の記録再生装置による記録媒体の再生制御等をダイアルで行うコントローラ等に適応できる。
【図面の簡単な説明】
【００６８】
【図１】本発明の実施例１の編集用コントローラの構成図
【図２】本発明の実施例２の編集用コントローラの構成図
【図３】本発明の実施例３の編集用コントローラの構成図
【図４】従来の編集用コントローラの構成図
【図５】従来のダイアル回転角速度を単純に平均化する方式の編集用コントローラの構成図
【図６】従来のダイアル回転角速度を単純に平均化する方式の編集コントローラにおける動作制御例の説明図
【図７】従来の速度テーブルがヒステリシス特性をもつ方式の編集用コントローラの構成図
【図８】従来の速度テーブルがヒステリシス特性をもつ方式の編集用コントローラにおける最新ダイアル速度情報ｂと出力速度情報ｇの関係例の説明図
【図９】従来のダイアル回転角速度を単純に平均化する方式の編集コントローラにおける問題点の説明図
【図１０】従来の速度テーブルがヒステリシス特性をもつ方式の編集用コントローラにおける問題点を示した説明図
【図１１】本発明の実施例１の動作例の説明図
【図１２】本発明の実施例１の動作例の説明図
【図１３】本発明の実施例２の有効ダイアル速度判断値メモリ２１内部テーブル例を示す図
【図１４】本発明の実施例２の動作例の説明図
【図１５】本発明の実施例２の動作例の説明図
【図１６】本発明の実施例３の再有効ダイアル速度判断値メモリ３２内部テーブル例を示す図
【図１７】本発明の実施例３の動作例の説明図
【図１８】本発明の実施例３の動作例の説明図
【符号の説明】
【００６９】
１    記録再生装置
２    編集用コントローラ
３    ダイアル
４    ダイアル回転角速度・方向検出手段
５    ダイアル速度情報メモリ
６    有効ダイアル速度判断作成手段
７    有効ダイアル速度情報出力手段
８    有効速度情報作成手段
２１  有効ダイアル速度判断値メモリ
３１  有効ダイアル速度情報出力制御手段
３２  再有効ダイアル速度判断値メモリ
４１  再生速度決定手段
５１  平均化による再生速度決定手段
７１  速度テーブルメモリ
７２  ヒステリシステーブルによる再生速度決定手段
ｂ    最新ダイアル速度情報
ｃ    ダイアル速度情報
ｄ    有効ダイアル速度判断情報
ｅ    有効ダイアル速度情報
ｆ    有効ダイアル速度情報数
ｇ    出力速度情報
ｈ    有効ダイアル速度判断値
ｉ    有効ダイアル速度更新情報
ｊ    有効ダイアル速度更新情報数
ｋ    有効ダイアル速度情報出力制御回数                                                                            
【図１】
2005174456.tif 000006
【図２】
2005174456.tif 000007
【図３】
2005174456.tif 000008
【図４】
2005174456.tif 000009
【図５】
2005174456.tif 000010
【図６】
2005174456.tif 000011
【図７】
2005174456.tif 000012
【図８】
2005174456.tif 000013
【図９】
2005174456.tif 000014
【図１０】
2005174456.tif 000015
【図１１】
2005174456.tif 000016
【図１２】
2005174456.tif 000017
【図１３】
2005174456.tif 000018
【図１４】
2005174456.tif 000019
【図１５】
2005174456.tif 000020
【図１６】
2005174456.tif 000021
【図１７】
2005174456.tif 000022
【図１８】
2005174456.tif 000023